(57)【要約】【課題】本発明は、意図しないインキの逆流が発生しても、そのインキが通気手段から外部に漏出することを防止できるボールペンを提供することを目的とする。【解決手段】ボールペン１は、インキを充填可能としたインキタンク形成部２０と、そのインキタンク形成部２０の後端に装着可能な尾栓１４を有する。インキタンク形成部２０には、インキＧの他、インキフォロアＦと、インキＧを加圧する押圧片１２及びばね１３が設けられている。尾栓１４には、通気口３３が設けられており、さらにその通気口３３へのインキの流入を阻止するべく液体流入阻止部３８が設けられている。また、ばね１３は、後方側端部を尾栓１４の装着部３０の端部に当接させており、液体流入阻止部３８との間隔を一定距離確保した配置となっている。【選択図】図７
2015020414.tif 000002
【特許請求の範囲】
【請求項１】
塗布液を充填可能な塗布液収容部と、当該塗布液収容部の後端側に装着された尾栓を備えたボールペンであって、
塗布液と尾栓との間には、塗布液を加圧する付勢手段が設けられ、
前記尾栓は、塗布液収容部に装着される装着部を有し、当該装着部には、前記塗布液収容部の内外を連通する通気口と、当該通気口と連通した筒部が設けられており、当該筒部は、その突端側が前記塗布液収容部の内部側であって前記付勢手段よりも後端側に配され、さらにその外周面が前記装着部の内周面と離反していることを特徴とするボールペン。
【請求項２】
前記装着部は、塗布液収容部の内部に挿入される筒状の挿入領域を有し、当該挿入領域における前記塗布液収容部の内部側端部は、前記筒部の突端よりも前記塗布液収容部の内部側に位置するものであり、前記挿入領域の内部側端部は、前記塗布液収容部内に設けられた前記付勢手段の一部が当接あるいは近接する配置であることを特徴とする請求項１に記載のボールペン。
【請求項３】
前記筒部は、前記通気口の開口縁から当該通気口の開口方向に沿って突出していることを特徴とする請求項１又は２に記載のボールペン。
【請求項４】
前記付勢手段は、金属線を間隔を空けつつ螺旋状に巻いて形成されるコイルばねであり、当該コイルばねの端部は、前記付勢手段の最大径部分の外周縁よりも内側に位置した状態となっていることを特徴とする請求項１〜３のいずれかに記載のボールペン。
【請求項５】
前記付勢手段は、長手方向の片側端部から他方端部に至る全ての領域において、長手方向で隣接する部分間に隙間が形成されていることを特徴とする請求項１〜４のいずれかに記載のボールペン。
【発明の詳細な説明】
【技術分野】
【０００１】
本発明は、ボールペンに関するものであり、特に高粘度のインキを好適に使用できるボールペンに関する。
【背景技術】
【０００２】
近年、携帯電話、手持ち鏡、文具等の小物の他、写真、陶器、シャツ等、様々な物にデコレーションを施すための塗布具が市場に普及している。この種の塗布具は、一般的に高粘度のインキが採用されており、文字や図柄を描くと、描いた文字や図柄が丸みを帯びて盛り上がった状態となる。つまり、インキを通常の粘度よりも高くすることで、立体的な文字や図柄の形成を可能にしている。
例えば、特許文献１に、そのような塗布具が開示されている。
【０００３】
ところで、高粘度のインキには、せん断力が作用すると粘度が低下して、一時的に流動性のあるインキに変化する性質（せん断減粘性という）をもったものがある。そして、従来より、この性質をもったインキ（チキソトロピー性のインキ）が、塗布具たるボールペンに好適に採用されている。
【０００４】
すなわち、せん断減粘性を有したインキは、ボールペンを使用しない（不使用時）ような静的な状態では、当然ながら高い粘度に維持される。その一方で、ボールペンが使用される（使用時）と、ペン先に具備されたボールが回転するため、ボールの外面に接触しているインキにせん断力が作用して、インキの粘度が大きく低下する。つまり、ボールペンでは、ペン先のボールを回転させることで、インキを流動性のある状態に変化させることができるため、高粘度のインキが採用されたとしても、使用者に対して、滑らかな筆記感触を与えることが可能となる。
【先行技術文献】
【特許文献】
【０００５】
【特許文献１】特開２０１２−１３１０７９号公報
【発明の概要】
【発明が解決しようとする課題】
【０００６】
ところが、高粘度のインキを使用した場合、ペン先に至る中途の部分でインキが詰まってしまう場合があった。つまり、高粘度のインキを用いた場合、ペン先までインキを押し出す力（インキの自重等）が、流路抵抗等の抵抗力よりも小さくなってしまうことがあり、インキがペン先まで到達しない場合があった。
【０００７】
そのため、高粘度のインキを採用する場合においては、何らかの外力によってインキを加圧したいという要望があった。
そこで、本発明者らは、インキを加圧する機構を備えた加圧式ボールペンを開発した。
具体的には、インキをコイルばねで付勢した加圧式ボールペンを開発した。
【０００８】
しかしながら、加圧式ボールペンは、その構造上、意図しない部分から、多量にインキが漏出してしまう場合があり、使用者の衣服や建物の内壁等を汚してしまう場合があった。
これについては、以下に説明する。
【０００９】
一般に、水性ボールペンは、インキが充填されたレフィルと、そのレフィルを収容する筒体を有し、さらにそのインキ後部には、インキの消費に追従し且つインキの逆流を防止するインキフォロアーが設けられている。またそれに加えて、筒体の後端側あるいはペン先側には、筒体の内外を連通する通気手段が設けられている。つまり、この種のボールペンは、消費によって吐出されるインキと、外部から導入される空気とを置換して、好適に塗布可能な構成となっている。
【００１０】
しかしながら、このような水性ボールペンでは、本来、ペン先側で塗布に寄与するためのインキが、逆流防止用のインキフォロアーを乗り越えて逆流してしまう場合がある。
【００１１】
ここで、前記したように、レフィル内のインキは、その後端側がインキフォロアーによって閉塞されているため、静止状態においては、インキが流動する可能性は低い。
一方、鞄で持ち運ぶ等によって、ボールペンが激しく動かされた場合、その動作に応じて、レフィル内のインキは視認できない範囲で流動を起こす。これにより、レフィルの内壁に接触したインキは、その流動によって、せん断力が作用する。つまり、レフィル内では、せん断力の作用により、流動性が高いインキが発生する。そして、この流動性が高いインキが、レフィルの内壁とインキフォロアーとの間の僅かな隙間をかいくぐり、インキフォロアーを乗り越えることで、インキの逆流が生じる。
こうして、レフィル内のインキが、インキフォロアーを乗り越えて逆流する場合がある。
【００１２】
以上のような事実に鑑みると、加圧式ボールペンにおいて、インキが付勢手段により加圧された状況下では、さらに多量のインキがインキフォロアーを乗り越えて逆流するおそれがある。
そして、一旦、インキが、逆流してしまうと、通気手段から、筒体の外部にインキが漏出することを防ぐことは不可能であった。その結果、使用者の衣服や建物の内壁等を汚してしまう場合があった。
【００１３】
またさらに、逆流したインキが通気手段から外部に漏出すると、そのインキによって当該通気手段が閉塞されてしまう場合があり、その場合、ペン先からインキを好適に吐出することが困難となってしまう。つまり、レフィル内のインキが一旦逆流を起こすと、インキがボールペンの外部に漏出して衣服等を汚してしまうだけでなく、そのボールペン自体が使用できなくなってしまう問題を抱えていた。
【００１４】
そこで、本発明では、従来技術の問題点に鑑み、意図しないインキの逆流が発生しても、そのインキが通気手段から外部に漏出することを防止できる加圧式のボールペンを提供することを課題とする。
【課題を解決するための手段】
【００１５】
上記課題を解決するべく提供される請求項１に記載の発明は、塗布液を充填可能な塗布液収容部と、当該塗布液収容部の後端側に装着された尾栓を備えたボールペンであって、塗布液と尾栓との間には、塗布液を加圧する付勢手段が設けられ、前記尾栓は、塗布液収容部に装着される装着部を有し、当該装着部には、前記塗布液収容部の内外を連通する通気口と、当該通気口と連通した筒部が設けられており、当該筒部は、その突端側が前記塗布液収容部の内部側であって前記付勢手段よりも後端側に配され、さらにその外周面が前記装着部の内周面と離反していることを特徴とするボールペンである。
【００１６】
まず、塗布液収容部内で塗布液が逆流した場合について考察する。
先にも説明したように、塗布液の逆流は、ボールペンが激しく揺らされる等の行為に起因して発生し得る現象である。そして、逆流現象では、通常、塗布液は、塗布液収容部の内壁を伝って後端側に流れる傾向がある。すなわち、逆流した塗布液は、塗布液収容部の後端、具体的には尾栓に至るまでは、当該塗布液収容部の内壁から離反した位置を流れる（空中滴下）ことはほぼない。つまり、逆流した概ね全ての塗布液は、塗布液収容部の内壁に沿って流れ、尾栓に行き着いた直後は、塗布液収容部の内壁側に張り付いたような状態で滞留する。その後、尾栓に到達した塗布液は、尾栓の内壁を伝って通気口に向けて流れ、ついには外部に漏出する。
【００１７】
そのような事実に鑑み、本発明では、尾栓に設けられた通気口を、当該通気口と連通する筒部を用いてその近傍の空間から隔離した構成にされている。すなわち、本発明のボールペンは、ペン先から好適に塗布液を塗布することを目的として、塗布液収容部に通気口が設けられており、その通気口に対して、連通した筒部が設けられた構成である。そして、筒部は、塗布液収容部の内部側に配され、さらにその外周面が、装着部の内周面と離反した構造となっている。つまり、本発明では、装着部の断面方向に２重の空間が形成される。これにより、本発明では、筒部によって、通気口から隔離された空間と、通気口に繋がった空間に区分される。具体的には、筒部の外周側に形成される外周側空間が通気口から隔離された空間となり、筒部の内周側に形成される内周側空間が通気口と連通する空間となる。
【００１８】
その結果、たとえ、塗布液が塗布液収容部内で逆流するような状況が発生したとしても、その逆流した塗布液を、通気口と連通しない外周側空間に滞留させることが可能となる。すなわち、外周側空間は、内周側空間から隔離されているため、外周側空間に滞留した塗布液が通気口に至る可能性は低い。このように、本発明によれば、塗布液収容部内で塗布液の逆流現象が発生したとしても、筒部によって、通気口から意図せず外部に漏出してしまう不具合を回避することができる。
【００１９】
また、請求項１に記載の発明では、高粘度の塗布液を使用した場合であっても、その塗布液を好適にペン先まで押し出せるように、塗布液を加圧するための付勢手段が備えられている。すなわち、本発明では、付勢手段によって、塗布液の押出力を補強し、当該押出力が流路抵抗等の抵抗力よりも、強制的に大きくなるようにしている。これにより、高粘度の塗布液を使用したとしても、塗布液がペン先に至る中途の位置で詰まってしまうといった不具合が抑制される。
【００２０】
一方、このような付勢手段を塗布液と尾栓との間に設けた場合に、逆流現象が発生すると、塗布液が付勢手段を伝って、塗布液収容部の後端側に向けて流れてしまう懸念がある。つまり、塗布液が、塗布液収容部の内壁を伝うことなく、尾栓に至ってしまう場合が想定される。すなわち、逆流した塗布液が、付勢手段を介して、内周側空間に流入してしまうことが否めない。
【００２１】
そこで、本発明では、通気口を隔離する筒部の突端側を、塗布液収容部の内部側であって付勢手段よりも塗布液収容部の後端側に配した構成となっている。すなわち、本発明では、筒部と付勢手段を間隔を空けて配している。これにより、逆流した塗布液が、付勢手段を伝って通気口側に流れてきたとしても、当該塗布液が、付勢手段から直接的に筒部内に流入することを抑制することができる。
【００２２】
請求項２に記載の発明は、前記装着部は、塗布液収容部の内部に挿入される筒状の挿入領域を有し、当該挿入領域における前記塗布液収容部の内部側端部は、前記筒部の突端よりも前記塗布液収容部の内部側に位置するものであり、前記挿入領域の内部側端部は、前記塗布液収容部内に設けられた前記付勢手段の一部が当接あるいは近接する配置であることを特徴とする請求項１に記載のボールペンである。
【００２３】
本発明のボールペンは、尾栓の装着部に筒状の挿入領域が設けられ、当該挿入領域における塗布液収容部の内部側端部が、尾栓の筒部の突端よりも塗布液収容部の内部側に位置する構造である。すなわち、筒部は、挿入領域の筒内に位置する。そして、付勢手段は、その一部を、挿入領域における内部側端部に当接あるいは近接した配置にされている。つまり、本発明では、付勢手段と筒部とが、所定の大きさの間隔を空けて配されている。これにより、本発明では、塗布液が付勢手段を伝ってきたとしても、その塗布液が直接的に筒部内に流入してしまう現象を、より確実に回避することができる。
【００２４】
ここで、ボールペンに設けられる通気口について付言すると、一般的に、この種の通気口は、尾栓の大きさに比べるとかなり小さい。つまり、通気口は、外部から空気を取り入れるためだけのものであるため、その大きさは、空気が通過できる程度の開口径があれば十分である。また、塗布液の漏出を防止する筒部も同様である。つまり、筒部の内径は、空気が通過できる程度の大きさがあれば十分である。
そこで、かかる知見に基づいて提供される請求項３に記載の発明は、前記筒部は、前記通気口の開口縁から当該通気口の開口方向に沿って突出していることを特徴とする請求項１又は２に記載のボールペンである。
【００２５】
本発明のボールペンでは、筒部を、通気口の開口縁から当該開口方向に沿って突出させた構成にしている。そのため、筒部の内径が、通気口の開口径とほぼ同一の大きさと言える。つまり、筒部の内径は、通気口と同様、空気が通過できる程度の大きさである。かかる構成により、筒部が無駄に大きくならないため、より効果的に、逆流した塗布液の外部への漏出を阻止することができる。
【００２６】
請求項４に記載の発明は、前記付勢手段は、金属線を間隔を空けつつ螺旋状に巻いて形成されるコイルばねであり、当該コイルばねの端部は、前記付勢手段の最大径部分の外周縁よりも内側に位置した状態となっていることを特徴とする請求項１〜３のいずれかに記載のボールペンである。
【００２７】
本発明のボールペンは、付勢手段をコイルばねとし、その端部を最大径部分の外周縁よりも内側に位置した状態としている。すなわち、コイルばねの端部が内側に入り込んだ状態となっており、塗布液収容部の内周面に接触しない構成となっている。これにより、付勢手段の端部が塗布液収容部の内周面に接触しない状態で、塗布液を加圧することが可能となる。
このため、付勢手段が塗布液を付勢するとき、付勢手段の端部が塗布液収容部から抵抗力を受けることがなく、付勢力が低減してしまうことがない。つまり、付勢動作時に、付勢手段の端部が塗布液収容部に接触してしまい、一時的に付勢力が低減してしまうことがない。したがって、本発明によると粘度の高いインキであっても安定して流出させることが可能となる。
また、付勢力の低減を防止可能であることから、仮に付勢力の弱い付勢手段を使用した場合であっても、インキを安定して流出させることができる。つまり、本発明は、付勢力の弱い付勢手段を採用できるという利点もある。
【００２８】
請求項５に記載の発明は、前記付勢手段は、長手方向の片側端部から他方端部に至る全ての領域において、長手方向で隣接する部分間に隙間が形成されていることを特徴とする請求項１〜４のいずれかに記載のボールペンである。
【００２９】
本発明のボールペンは、付勢手段たるコイルばねにおける長手方向に隣接する部分間に隙間が形成されている。言い換えると、コイルばねの付勢手段において、連続的に配される環状部分のうちの隣接する２つが接触しない構造となっている。つまり、コイルばねに所謂座巻きを設けない構造となっている。
ここで、コイルばねに所謂座巻きが設けられている場合について考える。この場合、コイルばねが圧縮されると、座巻きを形成している部分で連続的に配される環状部分のうち、隣接する２つが径方向にずれるおそれがある。つまり、２つの環状部分が接触した状態で一方側が他方側に近づく方向に力が加わることにより、一方が他方に対して相対的にスライド移動してしまうおそれがある。この場合、スライド移動した部分が、コイルばねの外側に位置する塗布液収容部の内周面に接触してしまう可能性がある。
これに対し、上記した構成では、付勢手段たるコイルばねに所謂座巻きを設けない構造となっている。このため、付勢手段と塗布液収容部の内周面の接触をより確実に防止できる。
【発明の効果】
【００３０】
本発明のボールペンは、塗布液収容部内の塗布液が尾栓方向に逆流したとしても、その塗布液が通気口から外部に漏出してしまうおそれがない。
【図面の簡単な説明】
【００３１】
【図１】本発明の実施形態に係るボールペンを示す斜視図である。
【図２】図１のボールペン本体を示す分解斜視図である。
【図３】図２のペン軸形成部を示す側面図である。
【図４】図２のペン軸形成部を示す縦断面図である。
【図５】図２のばねを示す側面図である。
【図６】図２の尾栓を示す図であり、（ａ）は斜視図であり、（ｂ）は（ａ）の一部を破断した斜視図である。
【図７】図１のボールペン本体を示す断面図であり、インキタンク形成部にインキを充填した状態を示す。
【図８】図１のボールペン本体を示す断面図であり、インキタンク形成部にインキが貯留されていない状態を示す。
【図９】インキタンク形成部内のインキが逆流した様子を示す説明図であり、（ａ）はインキが押圧片を越えた直後を示し、（ｂ）はインキが尾栓に到達した直後を示し、（ｃ）はインキが外周側空間に滞留した状態を示す。
【図１０】液体流入阻止部の変形例を示す断面図である。
【発明を実施するための形態】
【００３２】
以下に、本実施形態に係るボールペンについて説明する。
本実施形態のボールペン１は、図１に示すように、蓋部材２とボールペン本体３を備えた構成である。すなわち、ボールペン１は、ボールペン本体３の不使用時において、蓋部材２を装着することで、ボールペンチップ４の先端部におけるインキ（塗布液）の乾燥を防止することができる。
【００３３】
ボールペン本体３は、図２に示すように、ペン軸形成部１０、ペン先形成部１１、押圧片（付勢手段の一部）１２、ばね（付勢手段の一部）１３、尾栓１４により構成されている。
【００３４】
ペン軸形成部１０は、図３に示すように、外観がほぼ円筒状であって長手方向各部における外径Ｒの大きさが異なる構造となっている。すなわち、このペン軸形成部１０は、最も外径Ｒの大きな（外径Ｒ１）インキタンク形成部（塗布液収容部）２０と、インキタンク形成部２０よりも外径Ｒの小さな（外径Ｒ２）連結部２１と、連結部２１よりもさらに外径Ｒの小さな（外径Ｒ３）チップ取付部２２とを有している。そして、ペン軸形成部１０の後端側から前端側に向かって、インキタンク形成部２０、連結部２１、チップ取付部２２の順番で連続している。
【００３５】
インキタンク形成部２０、連結部２１、並びに、チップ取付部２２は、いずれもほぼ円筒形であり、さらにそれらは中心軸を共有している。そのため、ペン軸形成部１０の外周面では、インキタンク形成部２０と連結部２１とが連結している部分と、連結部２１とチップ取付部２２とが連結している部分に段差が形成されている。すなわち、インキタンク形成部２０と連結部２１、連結部２１とチップ取付部２２は、それぞれ段差を介して連続した構造となっている。
【００３６】
そして、ペン軸形成部１０の内部においても、図４に示すように、内径の異なる３つの空間が連続している。すなわち、インキタンク形成部２０の内部に位置する貯留用空間２４と、概ね連結部２１の内部に位置する第１流路形成空間２５と、概ねチップ取付部２２の内部に位置する第２流路形成空間２６が連続している。そして、これら貯留用空間２４、第１流路形成空間２５、第２流路形成空間２６が連通し、一体の空間である軸内空間２７を形成している。この軸内空間２７は、ペン軸形成部１０の後端から前端までを貫通して延びるインキ用の流路として機能する。
【００３７】
具体的には、この軸内空間２７は、前端側（ペン先側）向かうにつれて、段階的に内径が狭小となる空間である。すなわち、第１流路形成空間２５は、その内径ｒ２が、貯留用空間２４の内径（内径ｒ１）よりも短くなっており、第２流路形成空間２６は、その内径ｒ３が、第１流路形成空間２５の内径ｒ２よりもさらに短くなっている。
【００３８】
そして、貯留用空間２４と第１流路形成空間２５の境界となる部分と、第１流路形成空間２５と第２流路形成空間２６の境界となる部分には、それぞれ段差が形成されている。すなわち、貯留用空間２４、第１流路形成空間２５、第２流路形成空間２６は、それぞれ段差を介して連続している。つまり、軸内空間２７の内周面は、内径の異なる複数の部分が長手方向で段差を介して連続しており、前方に向かうにつれて、段階的に内径が狭小となっている。
【００３９】
ペン先形成部１１は、図２に示すように、テーパ状の外周面を有する筒体であり、その外周面が前端側に向かうにつれて狭径状を呈した形状となっている。また、ペン先形成部１１の内周面には、内側に向かって突出する環状突起（図示しない）が設けられている。かかる構成により、ペン先形成部１１は、図７に示すように、ペン軸形成部１０の前端側に位置する狭径となった部分（連結部２１、チップ取付部２２）に外嵌固定することが可能である。すなわち、ペン先形成部１１の内周面に形成された前記環状突起と、ペン軸形成部１０の狭径部分における外周面に形成された突起とが係合し、一体に固定することが可能な構造となっている。
【００４０】
押圧片１２は、後端側が開放されたほぼ有底円筒状の部材である（図７）。また、押圧片１２の前端面は、前方に向かって丸みを帯びた凸形状となっている。
【００４１】
ばね１３は、コイルばねであり、細長い金属線を間隔を空けつつ螺旋状に巻いて形成したものである。より具体的には、本実施形態のばね１３は、所謂座巻きを形成しない構造となっている。すなわち、ばね１３は、図５に示すように、自然状態を基準に、その軸線方向のいずれの箇所においても、隣接する金属線同士に一定の大きさの隙間αが形成された構造である。より詳細には、本実施形態のばね１３は、図５に示すように、その軸線方向中途の部分だけでなく、軸線方向の両端側においても、隣接する金属線同士が隙間αを空けた構造となっている。
なお、「自然状態」とは、外力（重力を除く）が作用していない状態を意味している。
【００４２】
また、ばね１３の両端部１３α，１３βは、径方向内側に向かって曲げられて、それぞればね巻の外縁よりも内側に位置した状態となっている。
より詳細には、ばね１３の両端部１３α，１３βは、いずれもばね１３の最大径部分の外周縁よりも内側に位置した状態となっている。さらに言うと、本実施形態では、ばね１３の両端部１３α、１３βが、いずれもばね１３の最大径部分の内周縁よりも内側に位置した状態となっている。
【００４３】
尾栓１４は、図６（ａ）に示すように、有底円筒状の部材であり、軸線方向一方の端部（前端部）が外部に開放された構造となっている。すなわち、尾栓１４は、図６（ｂ）に示すように、内部に空間ｖを有し、当該空間ｖが外部に開放された構造である。
【００４４】
また、尾栓１４の外周面には、後端部分よりもやや前方の位置に、フランジ部３５が設けられている。このフランジ部３５は、尾栓１４の外周面に沿って径方向外側へ突出した環状張出部である。そして、本実施形態では、尾栓１４が、フランジ部３５を境に、機能別に区分された構成となっている。具体的には、フランジ部３５を基準として、尾栓１４の開放端（前端）４０までが装着部（挿入領域）３０として機能し、尾栓１４の閉塞端（後端）４１までが露出部３１として機能する。
【００４５】
装着部３０は、ペン軸形成部１０の内部側に配される部分であり、その外周に沿って複数（本実施形態では２条）のリブ状部３２が設けられている。このリブ状部３２は、装着部３０の外周面から径方向外側へ突出した部分であり、その突出量は前記したフランジ部３５よりも小さい。
【００４６】
露出部３１は、ペン軸形成部１０から露出した位置に配される部分であり、所定の位置に通気口３３が設けられている。具体的には、この通気口３３は、閉塞端４１のほぼ中心に位置しており、閉塞端４１の厚み方向、別言すると、尾栓１４の軸線方向（閉塞端４１側から開放端４０側に向けた方向）に貫通した孔である。そのため、露出部３１は、通気口３３によって、内外が連通している。
【００４７】
また、本実施形態では、露出部３１に、通気口３３の開口縁から空間ｖ内に延びた液体流入阻止部（筒部）３８が設けられている。この液体流入阻止部３８は、図６（ｂ）に示すように、露出部３１の軸線方向長さよりも短い筒状部であり、内壁によって囲繞された内周側空間ｓを有する。つまり、液体流入阻止部３８は、内周側空間ｓが通気口３３と連通している。さらに言えば、液体流入阻止部３８は、内壁を形成する部分が通気口３３の開口縁から尾栓１４の開放端４０に向けて突出した構造となっている。すなわち、液体流入阻止部３８は、露出部３１の内部に設けられ、通気口３３と連通し、且つ、通気口３３とほぼ同一の大きさの開口径を有した部分である。
【００４８】
そして、本実施形態では、液体流入阻止部３８の突出長さを、通気口３３の開口径に対して、１．５〜２．５倍、好ましくは２．０倍程度の大きさとなるようにしている。なお、液体流入阻止部３８の突出長さは、尾栓１４の露出部３１の内径に対して、１／３〜２／３倍、好ましくは２／５倍程度の大きさでもある。
【００４９】
また、液体流入阻止部３８の外周側には、露出部３１の内壁に囲繞された外周側空間ｔが形成されている。この外周側空間ｔは、液体流入阻止部３８の外壁と、露出部３１の内壁に囲繞されて、環状を呈した空間である。また、外周側空間ｔは、内周側空間ｓから隔離された空間でもある。
【００５０】
したがって、露出部３１は、液体流入阻止部３８によって、通気口３３と連通した内周側空間ｓと、通気口３３と連通しない外周側空間ｔに区分されており、二重の断面構造となっている。
【００５１】
次に、本実施形態のボールペンを構成する各部材の位置関係について説明する。
本実施形態のボールペン１は、ペン軸形成部１０の一方の端部側（前端側）に、ボールペンチップ４及びペン先形成部１１が取り付けられると共に、ペン軸形成部１０の他方の端部側（後端側）に、尾栓１４が取り付けられている。そして、ペン軸形成部１０の内部に、インキＧ及びインキフォロアＦ（潤滑剤、密閉剤、逆流防止剤等）と、押圧片１２及びばね１３が設けられている。
なお、本実施形態では、インキＧとして、高粘度のチキソトロピー性のインキが採用されており、さらに当該インキに金属製のラメが混ぜ込まれている。
【００５２】
より具体的には、ボールペンチップ４は、ペン軸形成部１０のペン先側であって、チップ取付部２２に一体的に取り付けられている。すなわち、ボールペンチップ４は、その外周面全体がチップ取付部２２の内周面に密着した状態で装着されている。そして、ペン軸形成部１０には、チップ取付部２２及び連結部２１の外周側を覆うように、ペン先形成部１１が装着されている。このとき、ボールペンチップ４の先端側がペン先形成部１１から露出した状態になっている。
【００５３】
また、尾栓１４は、ペン軸形成部１０の後端側であって、インキタンク形成部２０に取り付けられている。すなわち、尾栓１４は、その先端側をインキタンク形成部２０内部に挿通して、装着部３０の外周面をインキタンク形成部２０の後端側の内周面に圧着させている。より詳細には、尾栓１４は、装着部３０に設けられた２条のリブ状部３２を、インキタンク形成部２０の内周面に密着させて固定されている。そして、尾栓１４は、フランジ部３５をインキタンク形成部２０の後端に当接させつつ、露出部３１をインキタンク形成部２０の外部に露出させている。またこのとき、露出部３１に設けられた液体流入阻止部３８が、インキタンク形成部２０の内部側に向けて突出した姿勢となっている。より具体的には、液体流入阻止部３８は、ペン軸形成部１０の内部側であって、そのペン軸形成部１０の軸線方向に沿うような姿勢で、ペン軸形成部１０の後端側に配されている。
【００５４】
一方、ペン軸形成部１０の内部では、ペン先側から順番に、インキＧ、インキフォロアＦが充填されている。具体的には、インキＧは、チップ取付部２２からインキタンク形成部２０の中途に至るまで充填されており、インキフォロアＦは、そのインキＧの後端側に隣接するようにして充填されている。そして、本実施形態では、インキフォロアＦの後端側に、押圧片１２が設けられ、さらにその押圧片１２に追従するようにばね１３が設けられている。つまり、ばね１３は、その一方の端部１３αを、押圧片１２に当接させた配置である。また同時に、ばね１３は、その他方の端部１３βを、インキタンク形成部２０の後端側に装着された尾栓１４に当接させている。具体的には、ばね１３の他方の端部１３βは、尾栓１４の前端（装着部３０の端部）に当接させている。つまり、ばね１３は、尾栓１４の液体流入阻止部３８に対して、所定の長さの間隔ｐを空けた配置となっている。
【００５５】
これにより、ばね１３は、押圧片１２に付勢力を作用させ、その反力を尾栓１４によって受けることを可能にしている。すなわち、本実施形態のボールペン１では、ばね１３が、押圧片１２及びインキフォロアＦを介して、インキＧにその付勢力を伝達することができる配置である。
なお、本実施形態では、ばね１３と液体流入阻止部３８との間隔ｐが、尾栓１４の露出部３１の内径に対して、１．５〜３倍、好ましくは２倍程度の大きさとなるようにしている。
【００５６】
また、本実施形態では、ばね１３が、インキタンク形成部２０の内壁に当接しない配置になっている。これにより、ばね１３は、インキタンク形成部２０の内壁に当接することがないため、当該内壁から摩擦力を受けることがない。
【００５７】
次に、本実施形態のボールペンの基本的機能について説明する。
本実施形態のボールペン１は、ばね１３を有し、当該ばね１３によって、インキＧを加圧可能な機能を有する。すなわち、この加圧機能によって、インキタンク形成部２０内のインキＧは、常時、ばね１３の付勢力でペン先側に押圧した状態が維持され、インキの吐出容易性が補助される。
【００５８】
つまり、図７に示すように、インキＧが充填された状態で筆記を続けていくと、ばね１３による加圧機能が好適に働く。すなわち、ばね１３の付勢力がインキＧに作用するため、確実に、ペン先を介してインキＧが消費され、同時にインキタンク形成部２０内からもその消費量と同等の量のインキＧが減少する。具体的には、インキタンク形成部２０内では、ばね１３の伸縮量の変化分に応じて、充填されたインキＧが減少する。逆を言えば、図８に示すように、ばね１３の伸び量が大きくなれば、インキタンク形成部２０内のインキ量は確実に減少する。
【００５９】
このように、本実施形態では、ばね１３による加圧機能が付与されているため、従来のように、インキタンク形成部２０内のインキＧがペン先に至らないといった不具合が発生するおそれがない。
【００６０】
続いて、本実施形態のボールペンの特徴的機能について説明する。
ここで、先にも説明したように、従来、レフィル内のインキが一旦逆流を起こすと、インキがボールペンの通気口を介して外部に漏出するだけでなく、そのボールペン自体が使用できなくなってしまう問題を抱えていた。
【００６１】
そこで、本実施形態では、尾栓１４に液体流入阻止部３８が設けられ、インキの漏出を阻止する機能が付与されている。すなわち、本実施形態では、液体流入阻止部３８によって、尾栓１４の通気口３３に向けて逆流したインキＧが流入し得ない構造となっている。
【００６２】
例えば、ボールペン１を逆さにしたときに、何らかの要因が影響して、インキＧが後端側に向けて逆流してきたとする。
ここで、先にも説明したが、逆流するインキＧは、インキフォロアＦ及び押圧片１２を越えて、ペン軸形成部１０の後端側に流れる際に、ペン軸形成部１０の内壁に沿って後端側に向かって流れる傾向がある。
【００６３】
すなわち、インキフォロアＦ及び押圧片１２を越えたインキＧは、図９（ａ）に示すように、ペン軸形成部１０の内壁の傾斜に沿って尾栓１４側に向けて流れる。そして、この逆流してきたインキＧは、図９（ｂ）に示すように、尾栓１４に到達すると、装着部３０から露出部３１側へと、当該尾栓１４の内壁に沿って流れる。そして、そのインキＧが露出部３１に到達すると、図９（ｃ）に示すように、露出部３１に設けられた外周側空間ｔ内に滞留する。上記したように、外周側空間ｔは、液体流入阻止部３８によって、内周側空間ｓから隔離された空間である。つまり、外周側空間ｔにインキＧを滞留させることで、当該インキＧが内周側空間ｓ側に流入することが阻止される。その結果、逆流してきたインキＧが、通気口３３を介して、外部に漏出することが阻止される。
【００６４】
このように、本実施形態のボールペン１は、通気口３３と連通する液体流入阻止部３８が設けられ、通気口３３と連通しない外周側空間ｔにインキＧを滞留させることを可能にしたため、逆流してきたインキＧが通気口３３を介して外部に漏出するおそれがない。つまり、使用者の衣服や建物の内壁等をインキで汚してしまうおそれがない。またそれに加えて、本実施形態では、通気口３３がインキＧで塞がれることが防止されるため、逆流したインキに起因して、ボールペン１自体が使用不能となる可能性を低くすることができる。
【００６５】
ところで、本実施形態では、前記したように、インキＧを加圧するべく、インキＧと尾栓１４との間に、ばね１３が設けられている。そのため、逆流したインキが、ペン軸形成部１０の内壁ではなく、ばね１３を伝って、尾栓１４側に流れてくる可能性がある。したがって、本実施形態では、液体流入阻止部３８を設けることで、ペン軸形成部１０の内壁を伝ってくるインキＧの漏出を防止することはできるが、ばね１３を伝って尾栓１４側に流れてきた場合、外周側空間ｔに流入せず、直接的に内周側空間ｓに流入してしまうおそれがあるため、さらなる対策が必要であった。
【００６６】
そこで、本実施形態では、ばね１３を伝ってきたインキＧが内周側空間ｓに流入してしまうことを防止するべく、図７に示すように、ばね１３と液体流入阻止部３８との間に、所定の大きさの間隔ｐが設けられている。これにより、たとえ、ばね１３を伝ってインキＧが逆流してきたとしても、ばね１３と液体流入阻止部３８との間に設けられた間隔ｐによって、インキＧの内周側空間ｓ内に至る経路を絶つことができるため、当該インキＧが直接的に内周側空間ｓに流入してしまうことが防止される。
【００６７】
上記実施形態では、断面の大きさが均一な円筒形状の液体流入阻止部３８を設けた尾栓１４を採用した構成を示したが、本発明はこれに限定されず、断面の大きさが不均一な形状を有した液体流入阻止部を設けた尾栓１４を採用した構成であっても構わない。例えば、図１０に示すように、そのような液体流入阻止部４３には、突出側の一部の外観が当該突出側端部に向かって狭小となったものが採用できる。
【００６８】
上記実施形態では、ばね１３の後端側の端部１３βを尾栓１４に当接させて、付勢力の反力を尾栓１４に受けさせる構成を示したが、本発明はこれに限定されず、インキタンク形成部２０の内部であって、尾栓１４が配される位置よりも前寄り（ペン先側）にばね１３が係合する係合部を設け、尾栓１４よりも前方側でばね１３の反力を受けさせる構成としても構わない。
【符号の説明】
【００６９】
１    ボールペン
２    蓋部材
３    ボールペン本体
４    ボールペンチップ
１０    ペン軸形成部
１２    押圧片（付勢手段）
１３    ばね（付勢手段）
１４    尾栓
３０    装着部
３１    露出部
３３    通気口
３８    液体流入阻止部
Ｆ    インキフォロア
Ｇ    インキ
ｓ    内周側空間
ｔ    外周側空間
ｐ    間隔
【図１】
2015020414.tif 000003
【図２】
2015020414.tif 000004
【図３】
2015020414.tif 000005
【図４】
2015020414.tif 000006
【図５】
2015020414.tif 000007
【図６】
2015020414.tif 000008
【図７】
2015020414.tif 000009
【図８】
2015020414.tif 000010
【図９】
2015020414.tif 000011
【図１０】
2015020414.tif 000012